(57)【要約】【課題】  気密性の確保が容易であると共に、小角度傾倒位置又は大角度傾倒位置とする動作の信頼性が高い断熱内倒し窓用ステーを得る。【解決手段】  第１アームの一端と第２アームの一端とを枢結し、第１アームの他端を窓枠２の縦枠２３，２４に対して回動可能にかつ上下スライド可能に取り付け、第２アームの他端を障子３の縦框３３，３４に対して回動可能に取り付け、第２アームの一端の突出部と係合する上下スライド可能な可動ストッパ６１を備え、障子３を閉じた状態で、操作片６２が気密材３０を弾性変形させて縦枠体２３，２４及び縦框体３３，３４の対向面間の隙間を通過可能なように、操作片６２の形状を薄板状として左右方向の外方へ延出させ、さらに屋内方向へ屈曲させた。操作片６２により可動ストッパ６１を障子３の屋内側から操作する。【選択図】        図３
2006257782.tif 000002
【特許請求の範囲】
【請求項１】
窓枠の上下左右の枠体及び障子の上下左右の框体の各々に、該枠体及び框体同士の対向面が形成され、該対向面の少なくとも一方に、該対向面間の隙間を塞ぐ気密材が設けられた断熱内倒し窓に用いられるステーであって、
第１アームの一端と第２アームの一端とを水平軸まわりに回動可能に連結し、
該第１アームの他端を前記窓枠の縦枠に対して水平軸まわりに回動可能にかつ上下方向にスライド可能に取り付け、
該第２アームの他端を前記障子の縦框に対して水平軸まわりに回動可能に取り付け、
該第２アームの一端に、他端と逆方向の突出部を設け、
該突出部の屋外側面に当接して前記第２アームが前記縦框に対して屋外方向へ回動するのを規制する外方回動規制手段が設けられ、前記縦框に対して上下方向にスライド可能に支持されると共に操作片が設けられた可動ストッパを備え、
該操作片により該可動ストッパを上方へスライドさせると、前記第２アームが前記縦框に対して屋外方向へ回動可能となるものであり、
前記障子を閉じた状態で、前記操作片が前記気密材を弾性変形させて前記縦枠体及び縦框体の対向面間の隙間を通過可能なように、前記操作片を薄板状として左右方向の外方へ延出させ、さらに屋内方向へ屈曲させてなり、
該操作片により前記可動ストッパを前記障子の屋内側から操作可能となした断熱内倒し窓用ステー。
【発明の詳細な説明】
【技術分野】
【０００１】
本発明は、窓枠と該窓枠内に内倒し可能に納められる障子との間に気密材を設けた断熱内倒し窓に用いるステーに係わり、更に詳しくは、小角度傾倒位置から、さらに大角度傾倒位置まで障子を傾倒可能としてなるステーに関するものである。
【背景技術】
【０００２】
窓枠内に納められ、防犯上問題のない小角度傾倒位置まで内倒し可能な障子を、該障子の屋外面を屋内側から掃除可能なように、さらに大角度傾倒位置まで内倒し可能としてなる従来の内倒し窓用ステーとして、窓枠の縦枠の中間部に、先端部にピンを有するアームの基端部を枢着し、該アームの先端部のピンを、障子の側枠に上下に延びるように取り付けた長スライドガイドの長溝に、障子の閉鎖時にピンが長溝の上端位置を占める状態で、滑動自在に嵌着し、かつ該長スライドガイドの長溝の上端部に近接する障子の側枠の屋内側の部分に、長溝の上端部に隣接して長溝外を上下方向に延びる状態を揺動上限とし、長溝の上端部を横切って水平方向に延びる状態を揺動下限として上下に揺動可能なピンストップレバーを枢着してなり、該ピンストップレバーを屋内側から操作つまみ（サムターン）で操作することにより、障子を大角度傾倒位置まで傾倒させるものがある（例えば、特許文献１参照。）。
【０００３】
また、障子の縦框に沿って上下摺動自在な摺動子と、この摺動子と窓枠の縦枠に亘って屋内外側方向に回動自在に連結したアームと、前記障子の縦框に取り付けられた摺動子が当接することで障子の倒れ角度を規制する固定ストッパと、前記障子の縦框屋内側面に取付けられた可動ストッパ装置を備え、この可動ストッパ装置は、上下方向に移動操作される操作部材と、この操作部材の上下方向の移動と連動して前記摺動子が当接するストップ位置と摺動子と離隔した非ストップ位置に亘って揺動する可動ストッパを備え、該可動ストッパを屋内側から操作つまみ（上下方向に移動するもの）で操作することにより、障子を大角度傾倒位置まで傾倒させるものがある（例えば、特許文献２参照。）。
【０００４】
さらに、第１の端部が窓枠の縦枠に対して回動自在にかつ上下摺動自在に連結された第１アームと、第１の端部が障子の縦框に対して回動自在に連結されるとともに第２の端部が第１アームの第２の端部に回動自在に連結された第２アームと、第２アームの縦框に対する障子の傾倒方向と同方向への回動を阻止する回動阻止手段と、第２アームの縦框に対する障子の傾倒方向と反対方向への回動を許容する解除位置及びこの回動を阻止する固定位置との間で移動自在となされた可動ストッパとを備え、可動ストッパを屋内側から操作つまみ（上下方向に移動するもの）で操作することにより、障子を大角度傾倒位置まで傾倒させるものがある（例えば、特許文献３参照。）。
【０００５】
【特許文献１】実用新案登録第２５３３３０１号公報（第１−３図）
【特許文献２】特開２００１−２７９９９３号公報（図１−３、６−７、９−１０）
【特許文献３】実用新案登録第２５５０５４０号公報（図１−３）
【発明の開示】
【発明が解決しようとする課題】
【０００６】
以上のような従来の内倒し窓用ステーの構成は、いずれも障子の縦框に設けたストッパを屋内側から操作つまみにて操作する構成であるが、窓枠と障子との間に気密材を設けた断熱内倒し窓に適用しようとすると、気密性を確保しながら前記操作つまみを屋内側に設けることが困難であるという問題点があった。例えば、特許文献１及び２の構成では、障子の縦枠の屋内側面に開口部を設ける必要があるため、気密性の確保が困難となる。また、特許文献３の構成では、可動ストッパの屋内側面側に突設した操作つまみ（操作用突起）を操作するため、気密性の確保が困難となる。
【０００７】
本発明は、前記のような問題点を解決するためになされたものであり、気密性の確保が容易な断熱内倒し窓用ステーを得ることを目的とする。また、簡素な構成により前記気密性を確保することができると共に、小角度傾倒位置又は大角度傾倒位置とする動作の信頼性が高い断熱内倒し窓用ステーを得ることを目的とする。
【課題を解決するための手段】
【０００８】
本発明に係る断熱内倒し窓用ステーは、窓枠の上下左右の枠体及び障子の上下左右の框体の各々に、該枠体及び框体同士の対向面が形成され、該対向面の少なくとも一方に、該対向面間の隙間を塞ぐ気密材が設けられた断熱内倒し窓に用いられるステーであって、第１アームの一端と第２アームの一端とを水平軸まわりに回動可能に連結し、該第１アームの他端を前記窓枠の縦枠に対して水平軸まわりに回動可能にかつ上下方向にスライド可能に取り付け、該第２アームの他端を前記障子の縦框に対して水平軸まわりに回動可能に取り付け、該第２アームの一端に、他端と逆方向の突出部を設け、該突出部の屋外側面に当接して前記第２アームが前記縦框に対して屋外方向へ回動するのを規制する外方回動規制手段が設けられ、前記縦框に対して上下方向にスライド可能に支持されると共に操作片が設けられた可動ストッパを備え、該操作片により該可動ストッパを上方へスライドさせると、前記第２アームが前記縦框に対して屋外方向へ回動可能となるものであり、前記障子を閉じた状態で、前記操作片が前記気密材を弾性変形させて前記縦枠体及び縦框体の対向面間の隙間を通過可能なように、前記操作片を薄板状として左右方向の外方へ延出させ、さらに屋内方向へ屈曲させてなり、該操作片により前記可動ストッパを前記障子の屋内側から操作可能となしたものである。
【発明の効果】
【０００９】
本発明に係る断熱内倒し窓用ステーによれば、窓枠の上下左右の枠体及び障子の上下左右の框体の各々に、該枠体及び框体同士の対向面が形成され、該対向面の少なくとも一方に、該対向面間の隙間を塞ぐ気密材が設けられた断熱内倒し窓に用いられるステーであって、第１アームの一端と第２アームの一端とを水平軸まわりに回動可能に連結し、該第１アームの他端を前記窓枠の縦枠に対して水平軸まわりに回動可能にかつ上下方向にスライド可能に取り付け、該第２アームの他端を前記障子の縦框に対して水平軸まわりに回動可能に取り付け、該第２アームの一端に、他端と逆方向の突出部を設け、該突出部の屋外側面に当接して前記第２アームが前記縦框に対して屋外方向へ回動するのを規制する外方回動規制手段が設けられ、前記縦框に対して上下方向にスライド可能に支持されると共に操作片が設けられた可動ストッパを備え、該操作片により該可動ストッパを上方へスライドさせると、前記第２アームが前記縦框に対して屋外方向へ回動可能となるものであり、前記障子を閉じた状態で、前記操作片が前記気密材を弾性変形させて前記縦枠体及び縦框体の対向面間の隙間を通過可能なように、前記操作片を薄板状として左右方向の外方へ延出させ、さらに屋内方向へ屈曲させてなり、該操作片により前記可動ストッパを前記障子の屋内側から操作可能となしたので、簡素な構成により、断熱内倒し窓の気密性を確保することができると共に操作性が良い断熱内倒し窓用ステーを得ることができる。また、長期にわたり小角度傾倒位置又は大角度傾倒位置とする動作の高い信頼性を確保することができる。さらに、コスト低減化を図ることができる。さらにまた、断熱内倒し窓を閉じた状態において、障子の縦枠の屋内側面に開口部及び操作つまみがなく、窓枠の縦枠と障子の縦框の間の薄肉の操作つまみが視認されるのみであるため、断熱内倒し窓全体の外観がすっきりとした印象となる。
【発明を実施するための最良の形態】
【００１０】
次に本発明の実施の形態を添付図面に基づき詳細に説明するが、本発明は、添付図面に示された形態に限定されず特許請求の範囲に記載の要件を満たす実施形態の全てを含むものである。なお、本明細書においては、屋内側から屋外側へ向かう方向の前側を前、後側を後とし、前方に向かって左右を左右とする。また、障子については、最も閉じた状態において前記方向の定義を用いる。さらに、屋内側から見た図を正面図とする。
【００１１】
図１〜図３は、本発明の実施の形態に係る断熱内倒し窓用ステーを組み込んだ断熱内倒し窓の構成を示す説明図であり、図１は斜視図、図２は縦断左側面図、図３は横断平面図である。また、図４は、断熱内倒し窓の開閉動作の説明図である。断熱内倒し窓１は、窓枠２及び窓枠２内に内倒し可能に納められる障子３等により構成される。また、窓枠２は、上枠２１、下枠２２、左縦枠２３及び右縦枠２４を組み合わせてなる矩形枠体等からなり、障子３は、上框３１、下框３２、左縦框３３及び右縦框３４を組み合わせてなる矩形框体並びに該框体内側の窓開口部４に装着されるガラス５等からなる。そして、窓枠１の左縦枠２３及び障子３の左縦框３３間には後述する左ステー４１が、窓枠１の右縦枠２４及び障子３の右縦框３４間には後述する右ステー４２が取り付けられる。
【００１２】
断熱内倒し窓１は、下枠２２の左右方向に延びる窓枠側支持部７及び該窓枠側支持部７に外嵌する障子側支持部により構成される回動支持部６により、該回動支持部６の左右方向軸まわりに障子３を屋内側へ傾倒可能に構成したものである。そして、図２及び図４に示す取手１２の操作により、窓枠２の上枠２１に取り付けられた係止部１４とラッチ機構１１のラッチ具１２との係止が解除され、障子３が、図４の閉位置Ａから小角度傾倒位置Ｂまで屋内側へ傾倒可能となる。
【００１３】
例えば、取手１２を上げると、図示しないばねによる復元力により上方へ付勢されているラッチ具１３を下降させる力が作用して、係止部１４とラッチ具１３との係止が解除され、図４の閉位置Ａから小角度傾倒位置Ｂまで屋内側へ傾倒可能となる。そして、該障子３は、後述する操作片６２の操作により、さらに大角度傾倒位置Ｃまで屋内側へ傾倒させることができる。なお、図１では、ラッチ機構１１及び取手１２等の図示を省略している。
【００１４】
図２及び図４に示すように、障子３を閉じる場合は、取手１２を持って障子３を前方（屋外方向）へ押し上げて前記回動支持部６まわりに回動させれば、ラッチ具１３の傾斜面１３ａが係止部１４により押し下げられて係止部１４を通過後、上方へ付勢力が作用しているラッチ具１３が閉位置Ａにて上昇して係止部１４の前面により係止される。したがって、閉位置Ａにて施錠状態となる。
【００１５】
次に、断熱内倒し窓１の断熱構造の概要を説明する。窓枠２の上下左右の枠体２１〜２４及び障子３の上下左右の框体３１〜３４の各々に、該枠体及び框体同士の対向面が形成されている。例えば、枠体２１〜２４には屋外側対向面２５が形成されると共に框体３１〜３４には屋外側対向面３５が形成されており、該対向面２５，３５同士が対向している。また、枠体２１〜２４には屋内側対向面２６が形成されると共に框体３１〜３４には屋内側対向面３６が形成されており、該対向面２６，３６同士が対向している。そして、枠体２１〜２４の屋外側対向面２５及び屋内側対向面２６には、それぞれ気密材保持部２７，２９が形成されており、該保持部２７，２９には屋外側気密材２８及び屋内側気密材３０が装着されている。したがって、該屋外側気密材２８及び屋内側気密材３０による二重の気密構造により、断熱効果が高められている。なお、該気密材２８及び３０は、気密性を高めるために容易に変形する弾性体からなり、材質としては、ニトリルゴム、フッ素ゴム、スチレンブタジエンゴム又はシリコーンゴム等が使用環境等に応じて適宜選択される。
【００１６】
次に、本発明の実施の形態に係る断熱内倒し窓用ステー４１，４２の構成及び動作について説明する。図５〜図７は、本発明の実施の形態に係る断熱内倒し窓用ステーの構成を示す説明図であり、図５は分解斜視図、図６（ａ）は背面図（屋外側から見た図）、図６（ｂ）は左側面図、図７（ａ）は図６（ｂ）のＹ−Ｙ断面図、図７（ｂ）は図６（ｂ）のＸ−Ｘ断面図である。また、図８は、可動ストッパを上方へスライドさせて、縦框に対する第２アームの屋外側への回動規制を解除した状態を示す説明図である。
【００１７】
左ステー４１及び右ステー４２において、窓枠取付板４３及び障子取付板４４は上下方向に縦長に形成されており、窓枠取付板４３は上下の通孔４３ａ，４３ａを用いて窓枠２の縦枠２３，２４に取り付けられ、障子取付板４４は上下の通孔４４ａ，４４ａを用いて障子３の縦框３３，３４に取り付けられる。例えば、図７（ａ）に示すように、障子取付板４４は上下の通孔４４ａ，４４ａを用いて取付ねじ５０，５０により、障子３の縦框３３に取り付けられる。また、窓枠取付板４３には、通孔４３ａ，４３ａ間に上下方向に延びる長孔４３ｂが、障子取付板４４には、通孔４４ａ，４４ａ間に通孔４４ｂが形成されている。
【００１８】
段付リベット４８を、第１アーム５１の一端の通孔５１ａ及び第２アーム５２の一端の通孔５２ａに通して軸端をかしめることにより、第１アーム５１及び第２アーム５２の一端同士は水平軸まわりに回動可能に連結される。なお、段付リベット４８の頭部と第１アーム５１との間、及び、第１アーム５１と第２アーム５２との間の段付きリベット４８の軸まわりには、ナイロン等からなるワッシャーが装着され、前記水平軸まわりの回動動作の円滑化が図られている。
【００１９】
段付リベット４７を、窓枠取付板４３の長孔４３ｂ及び第１アーム５１の他端の通孔５１ｂを通して軸端をかしめることにより、第１アーム５１の他端は、窓枠２の縦枠２３，２４して水平軸まわりに回動可能にかつ上下方向にスライド可能に取り付けられる。また、段付リベット４９を、第２アーム５２の他端の通孔５２ｂ及び障子取付板４４の通孔４４ｂを通して軸端をかしめることにより、第２アーム５２の他端は、障子３の縦框３３，３４に対して水平軸まわりに回動可能に取り付けられる。
【００２０】
障子取付板４４は、可動ストッパ６１のガイド溝６１ｂに係合し、該ガイド溝６１ｂの前後面が障子取付板４４の前後側面に当接する。したがって、可動ストッパ６１は、障子取付板４４に対する前後方向の移動が規制され、障子取付板４４（障子３の縦框３３，３４）に対して上下方向にスライド可能となっている。
【００２１】
可動ストッパ６１のばね収容部６７内には圧縮コイルばね６８が収容され、該圧縮コイルばね６８の上側には、障子取付板４４のばね受け４５がばね収容部６７内に突出している。したがって、可動ストッパ６１には圧縮コイルばね６８の復元力による下方への付勢力が作用している。また、可動ストッパ６１の係合孔６９ａに操作片６２の係合片７０ａが係合し、可動ストッパ６１の係止孔６９ｂに操作片６２の係止片７０ｂが係止する。そして、取付ねじ６６が、通孔６１ａを通され螺孔６２ａに螺合するため、可動ストッパ６１と操作片６２とは強固に連結されて一体化する。
【００２２】
第２アーム５２の一端の通孔５２ａ近傍には、他端の通孔５２ｂ方向と逆方向に突出する突出部５３が設けられている。また、可動ストッパ６１には、該突出部５３の屋内側面５４に当接して第２アーム５２が縦框３３，３４に対して屋内方向へ回動することを規制する内方回動規制手段５６、及び、該突出部５３の屋外側面５５に当接して第２アーム５２が縦框３３，３４に対して屋外方向へ回動するのを規制する外方回動規制手段５７が設けられている。
【００２３】
したがって、可動ストッパ６１の外方回動規制手段５７が第２アーム５２の突出部５３の屋外側面５５に当接して、第２アーム５２の縦框３３，３４（障子取付板４４）に対する屋外方向への回動が規制された状態（図６参照。）では、障子３は図４の小角度傾倒位置Ｂまでしか傾倒しない。これに対して、図８に示すように操作片６２を操作して、可動ストッパ６１を上方へスライドさせると（図中矢印Ｄ参照。）、第２アーム５２が縦框３３，３４（障子取付板４４）に対して屋外方向へ回動可能となるため、障子３は図４の大角度傾倒位置Ｃまで傾倒する。
【００２４】
したがって、断熱内倒し窓１の障子３を、防犯上問題のない小角度傾倒位置Ｂまでの傾倒角度から、該障子３の屋外面を屋内側から掃除可能なように、大角度傾倒位置Ｃまでの傾倒角度へ容易に変更することができる。また、障子取付板４４にはアーム受け４６が形成されており、第２アーム５２の障子３の縦框３３、３４（障子取付板４４）に対する屋外方向への回動が所定角度までで規制されるため、第１アーム５１及び第２アーム５２の一端同士を回動可能に連結したリンク機構の動作の安定化を図ることができるため、障子３の開閉動作の安定化を図ることができる。さらに、アーム受け４６の位置により大角度傾倒位置Ｃでの障子３の傾倒角度を調整することができる。なお、障子取付板４４に前後対称にアーム受け４６，４６を形成しているのは、左ステー４１及び右ステー４２において、同一形状の部品を共用するためである。
【００２５】
図５、図６及び図８に示すように、突出部５３の屋外側面５５は略垂直平面であり、突出部５３の屋内側面５４は上方に行くにしたがって前方へ傾斜する曲面（略円筒面）となっている。また、可動ストッパ６１は、前記のとおり圧縮コイルばね６８による下方への付勢力が作用した状態で上下方向にスライド可能となっている。したがって、障子３を図４の大角度傾倒位置Ｃから小角度傾倒位置Ｂまで戻す場合には、取手１２を持って障子３を前方（屋外方向）へ押し上げて回動支持部６まわりに回動させれば、可動ストッパ６１の前下部に突出部５３の屋内側面５４が当接し、該可動ストッパ６１が押し上げられる（例えば、図８参照。）。そして、障子３が図４の小角度傾倒位置Ｂに達すると、可動ストッパ６１が下降して、外方回動規制手段５７が突出部５３の屋外側面５５に位置するため、第２アーム５２の縦框３３，３４に対する屋外方向への回動が規制され（図６参照。）、該状態が保持される。
【００２６】
次に、本発明の実施の形態に係る断熱内倒し窓用ステー４１，４２の操作片６２の形状について説明する。操作片６２は、障子３を閉じた状態（図３及び図４の閉状態Ａ参照。）で、該操作片６２が屋内側気密材３０を弾性変形させて縦枠２３，２４及び縦框３３，３４の対向面２６，３６間の隙間を通過可能なように、薄板状に形成されている。そして、該操作片６２は、左右方向の外方へ延出する外方延出部６３、及び、前記隙間を通過後に屋内方向に屈曲する屋内方向屈曲部６４が形成されている。そして、該屋内方向屈曲部６４に外嵌する操作つまみ６５の係止孔６５ａに屋内方向屈曲部６４の係止片６４ａが係止し、操作つまみ６５は操作片６２に取り付けられる。
【００２７】
このように操作片６２は薄板状であるが、前記のとおり可動ストッパ６１と強固に一体化されていると共に、上下方向には比較的長い形状であるため、該操作片６２の操作方向（上下方向）には剛性及び強度が大きい形状となっている。したがって、操作片６２による可動ストッパ６１を上方にスライドさせるための操作を、屋内側から安定かつ確実に行うことができる。また、該操作片６２は、前記のとおり、障子３を閉じた状態（図３及び図４の閉状態Ａ参照。）で、屋内側気密材３０を弾性変形させて縦枠２３，２４及び縦框３３，３４の対向面２６，３６間の隙間を通過するため、断熱内倒し窓１の気密性が損なわれることはない。また、断熱内倒し窓用ステー４１，４２の構成は、操作片６２も含めて簡素であるため、長期にわたり高い動作信頼性を確保することができると共にコスト低減化を図ることができる。
【図面の簡単な説明】
【００２８】
【図１】本発明の実施の形態に係るステーを組み込んだ断熱内倒し窓を示す斜視図である。
【図２】同じく縦断左側面図である。
【図３】同じく横断平面図である。
【図４】断熱内倒し窓の開閉動作の説明図である。
【図５】本発明の実施の形態に係る断熱内倒し窓用ステーの分解斜視図である。
【図６】同じく説明図であり、（ａ）は背面図、（ｂ）は左側面図である。
【図７】同じく説明図であり、（ａ）は図６（ｂ）のＹ−Ｙ断面図、（ｂ）は図６（ｂ）のＸ−Ｘ断面図である。
【図８】可動ストッパを上方へスライドさせて、縦框に対する第２アームの屋外側への回動規制を解除した状態を示す説明図である。
【符号の説明】
【００２９】
１  断熱内倒し窓
２  窓枠
３  障子
２１  上枠
２２  下枠
２３  左縦枠
２４  右縦枠
２６  屋内側対向面
２９  気密材保持部
３０  屋内側気密材
３１  上框
３２  下框
３３  左縦框
３４  右縦框
３６  屋内側対向面
４１  左ステー
４２  右ステー
４３  窓枠取付板
４３ａ  通孔
４３ｂ  長孔
４４  障子取付板
４４ａ  通孔
４４ｂ  通孔
４５  ばね受け
４６  アーム受け
４７，４８，４９  段付リベット
５１  第１アーム
５１ａ，５１ｂ  通孔
５２  第２アーム
５２ａ，５２ｂ  通孔
５３  突出部
５４  屋内側面
５５  屋外側面
５６  内方回動規制手段
５７  外方回動規制手段
６１  可動ストッパ
６１ａ  通孔
６１ｂ  ガイド溝
６２  操作片
６２ａ  螺孔
６３  外方延出部
６４  屋内方向屈曲部
６４ａ  係止片
６５  操作つまみ
６５ａ  係止孔
６６  取付ねじ
６７  ばね収容部
６８  圧縮コイルばね
６９ａ  係合孔
６９ｂ  係止孔
７０ａ  係合片
７０ｂ  係止片
【図１】
2006257782.tif 000003
【図２】
2006257782.tif 000004
【図３】
2006257782.tif 000005
【図４】
2006257782.tif 000006
【図５】
2006257782.tif 000007
【図６】
2006257782.tif 000008
【図７】
2006257782.tif 000009
【図８】
2006257782.tif 000010